(57)【特許請求の範囲】
【請求項１】
電線が挿通された壁下地にベース材が固定され、
前記ベース材に形成された貫通孔に挿通された前記電線と接続された照明装置本体が前記ベース材の内側に配設され、
前記壁下地の表面に設けられた外壁仕上材の表面と前記ベース材の前端部とが略面一となるように構成され、
前記ベース材の下部には前端部まで延びる水抜き溝が形成され、
前記照明装置本体と前記ベース材との間に配置され、前記照明装置本体が固定される台座を備え、
前記台座には、前記水抜き溝に連通する貫通孔が形成されていることを特徴とする
屋外用照明装置の取付構造。
【請求項２】
電線が挿通される貫通孔を有し、壁面に埋設されるベース材と、
前記電線と接続されて前記ベース材の内側に配設される照明装置本体と、
前記照明装置本体と前記ベース材との間に配置され、前記照明装置本体が固定される台座と、を備え、
前記ベース材の下部には前端部まで延びる水抜き溝が形成され、
前記台座には、前記水抜き溝に連通する貫通孔が形成されていることを特徴とする屋外用照明装置。
【発明の詳細な説明】
【技術分野】
【０００１】
本発明は、屋外用照明装置の取付構造、屋外用照明装置の取付方法及び屋外用照明装置に関する。
【背景技術】
【０００２】
門柱、外壁等に取り付けられる屋外用照明装置がある（特許文献１）。屋外用照明装置は、シール材等により防水処理が施される。特許文献１の電気機械器具の取付構造では、器具本体と壁面との間に配設される取付板を備え、壁面に対して隙間を設けて取付板が取り付けられることにより、壁面から器具内の給電部等への浸水を防止している。さらに、特許文献１の電気機械器具の取付構造では、凹凸が大きい壁面に対して電気機械器具を取り付ける際に、傾き調整ねじを用いて、取付板が壁面に対して平行に配置されるように調整して、壁面から器具内の給電部等への浸水を防止している。
【先行技術文献】
【特許文献】
【０００３】
【特許文献１】特開２００２−１７５７１７公報
【発明の概要】
【発明が解決しようとする課題】
【０００４】
近年、意匠性の高い屋外用照明装置に対するニーズが増加している。特許文献１の電気機械器具の取付構造では、照明装置と壁面との間に隙間を設ける必要があるため、照明装置が取り付けられる壁面と照明器具との一体感が損なわれる。また、凹凸が大きい壁面に対して、照明器具を平行に配置する作業は負担が大きい。さらに、ねじ等を用いて、照明装置を外壁仕上材に固定すると、外壁仕上材のひび割れ等の損傷が生じることがあり、施工が難しい。
【０００５】
上記事情を踏まえ、本発明は、意匠性及び排水性に優れた屋外用照明装置、屋外用照明装置の取付構造及びその屋外用照明装置を取り付ける際の作業負担を軽減した屋外用照明装置の取付方法を提供することを目的とする。
【課題を解決するための手段】
【０００６】
本発明に係る屋外用照明装置の取付構造は電線が挿通された壁下地にベース材が固定され、前記ベース材に形成された貫通孔に挿通された前記電線と接続された照明装置本体が前記ベース材の内側に配設され、前記壁下地の表面に設けられた外壁仕上材の表面と前記ベース材の前端部とが略面一となるように構成され、前記ベース材の下部には前端部まで延びる水抜き溝が形成され、前記照明装置本体と前記ベース材との間に配置され、前記照明装置本体が固定される台座を備え、前記台座には、前記水抜き溝に連通する貫通孔が形成されていることを特徴とする。
【０００７】
この発明によれば、ベース材が壁下地に固定されるので、従来の屋外用照明装置のように、照明装置を外壁仕上材にねじで直接固定する必要がなく、外壁仕上材の損傷を防ぐことができる。また、外壁仕上材の表面の凹凸に関わらず、ベース材を壁面に容易に取り付けることができる。さらに、照明装置本体の電線や壁部との接続部材等が外部に露出することがなく、意匠性に優れた屋外用照明装置を提供できる。さらに、水抜き溝が形成されていることにより、ベース材内の排水が可能であり、照明装置本体への雨水の浸入を防ぐことができる。さらに、照明装置本体と台座との間に水が浸入した場合でも、ベース材の水抜き溝を介して外部に排水することができ、照明装置本体の防水性を高めることができる。
【００１２】
本発明に係る屋外用照明装置は、電線が挿通される貫通孔を有し、壁面に埋設されるベース材と、前記電線と接続されて前記ベース材の内側に配設される照明装置本体と、前記照明装置本体と前記ベース材との間に配置され、前記照明装置本体が固定される台座と、を備え、前記ベース材の下部には前端部まで延びる水抜き溝が形成され、前記台座には、前記水抜き溝に連通する貫通孔が形成されていることを特徴とする。
【００１３】
この発明によれば、ベース材が壁面に埋設されるように構成され、照明装置本体がベース材の内側に配設されるので、照明装置本体の少なくとも一部を壁面に収容して設けることができる。その結果、照明装置本体の電線や壁部との接続部材等が外部に露出することがなく、意匠性に優れた屋外用照明装置を提供できる。また、ベース材に水抜き溝が形成されているので、壁面に埋設されたベース材内の排水が可能であり、照明装置本体への雨水の浸入を防ぐことができる。さらに、照明装置本体と台座との間に水が浸入した場合でも、ベース材の水抜き溝を介して外部に排水することができ、照明装置本体の防水性を高めることができる。
【発明の効果】
【００１６】
本発明によれば、本発明は、排水性及び意匠性に優れた屋外用照明装置、屋外用照明装置の取付構造及びその屋外用照明装置を取り付ける際の作業負担を軽減した屋外用照明装置の取付方法を提供することができる。
【図面の簡単な説明】
【００１７】
【図１】本発明の一実施形態に係る屋外用照明装置の設置例を示す斜視図である。
【図２】本発明の一実施形態に係る屋外用照明装置の設置例を示す斜視図である。
【図３】本発明の一実施形態に係る屋外用照明装置の分解斜視図である。
【図４】本発明の一実施形態の台座の斜視図である。
【図５】本発明の一実施形態のベース材及び台座の斜視図である。
【図６】本発明の一実施形態に係る屋外用照明装置の取付方法を示す断面図である。
【図７】本発明の一実施形態に係る屋外用照明装置の変形例を示す斜視図である。
【図８】本発明の一実施形態に係る屋外用照明装置の変形例を示す分解斜視図である。
【発明を実施するための形態】
【００１８】
本発明の一実施形態に係る屋外用照明装置について説明する。図１及び図２は、本実施形態に係る屋外用照明装置（以下、「照明装置」と記載する。）１の設置例を示す斜視図である。照明装置１は、例えば、門柱１００の壁面や、建物の外壁に取り付けられる。図３は、照明装置１の分解斜視図である。図３に示すように、照明装置１は、ベース材２と、照明装置本体３と、台座４と、シール材９とを備える。
【００１９】
ベース材２は、底部２０と、底部２０の周縁から立設された側壁部２１とを有する。側壁部２１には水抜き溝２２が形成されている。図２及び図３に示すように、水抜き溝２２は、ベース材２の下端における側壁部２１が下方（ベース材２の径方向外側）に突出するように湾曲して形成されている。水抜き溝２２は、ベース材２の前端部２５まで形成されている。水抜き溝２２は、底部２０から前端部２５に向かって、下方に傾斜するように形成されていてもよい。この他、底部２０には、電線３２が挿通される配線孔２３と、ねじ５１が挿通されるねじ孔２４と（図５参照）が形成されている。
【００２０】
照明装置本体３は、照明部３０と、カバー３１とを備える。照明部３０は、ＬＥＤ照明器具等であり、電線３２が後述する壁部側電線と接続される。カバー３１は、照明部３０を覆う部材であり、台座４と螺合する螺合溝３３が形成されている。
【００２１】
図３及び図４に示すように、台座４は、底部４０と、底部４０の周縁から立設された周壁部４１とを有する。底部４０には、照明部３０の電線３２が挿通される貫通孔４２と、ねじ５０，５０が挿通されるねじ孔４３，４３と、排水孔４４とが形成されている。排水孔４４は、底部４０の縁端部近傍において、底部４０の厚さ方向に貫通し、且つ、周壁部４１の厚さ方向にも一部貫通している。台座４の周壁部４１の内面側には、カバー３１の螺合溝３３と螺合するカバー取付溝４５が形成されている。この他、台座４の底部４０には、照明部３０を係止する係止部４６と、照明部３０を位置決めする突起４７とを備える。
【００２２】
図３に示すように、シール材９は、薄い円板状の弾性部材であり、配線９０が挿通される貫通孔（不図示）が形成されている。
【００２３】
次に、照明装置１の取付構造及びを照明装置の取付方法を説明する。図６は、実施形態に係る屋外用照明装置の取付方法の各工程を示す断面図である。
【００２４】
まず、図６（Ａ）に示すように、壁下地６にベース材２を固定する。壁下地６には、電線が挿通される孔が形成されている。ベース材２の配線孔２３を壁下地６の電線が挿通される孔の位置に合わせ、且つ、水抜き溝２２が下端に位置するようにベース材２を配置した後、ベース材２をねじ５１で壁下地６に固定する。このとき、壁下地６の前面とベース材２の底部２０の外面との間にシール材９を配置して、ベース材２を壁下地６に対して密着固定させる。
【００２５】
次に、図６（Ｂ）に示すように、壁下地６に外壁仕上材７を設ける。外壁仕上材７は、例えば、塗り壁、窯業系外壁材、タイル、金属性外壁面材等が挙げられる。外壁仕上材７は、ベース材２を避けて設ける。外壁仕上材７は、その表面とベース材２の前端部２５とが略面一となるように、壁下地６の表面に設ける。外壁仕上材７とベース材２の側壁部２１の前端部２５との間には、コーキング剤８を塗工してシールする。
【００２６】
次に、台座４をベース材２の内部に収容し、ねじ５０，５０で台座４をベース材２に固定する。このとき、台座４の排水孔４４が下方に位置し、水抜き溝２２と連通するように台座４を配置して固定する。
【００２７】
次に、図６（Ｃ）に示すように、照明装置本体３の電線３２と壁下地６側の壁部側電線９０とを接続し、台座４の底部４０に照明装置本体３を固定する。このとき、台座４の突起４７に照明装置本体３を当接させて位置決めし、且つ、照明装置本体３に設けられた爪部３４を台座４の係止部４６に係止させることにより照明装置本体３を台座４に固定する。次に、カバー３１の螺合溝３３と台座４のカバー取付溝４５とを螺合して、台座４にカバー３１を固定する。以上により、照明装置本体３をベース材２に対して固定する。
【００２８】
本実施形態に係る照明装置１の取付構造１０は、図６（Ｃ）に示すように、壁部側電線９０が挿通された壁下地６にベース材２が固定されている。壁下地６とベース材２との間にはシール材９が挟まれて、ベース材２が壁下地６に密着固定されている。また、ベース材２に形成された配線孔（貫通孔）２３に挿通された壁部側電線９０と接続された照明装置本体３がベース材２の内側に配設されている。また、壁下地６の表面に設けられた外壁仕上材７の表面とベース材２の前端部２５とが略面一となるように構成されている。そのため、ベース材２が外壁仕上材７に埋設されている。したがって、照明装置１は、カバー３１の螺合溝３３や、電線３２と壁下地６との接続部分等が収容されるベース材２が、外壁仕上材７内に配置される。したがって、照明装置１は、図２及び図６（Ｃ）に示すように、照明部３０及びカバー３１が外壁仕上材７から突出したような外観となり、意匠性に優れた照明装置１とすることができる。
【００２９】
また、図６（Ｃ）に示すように、カバー３１の内部と、台座４の排水孔４４と、ベース材２の水抜き溝２２とが連通するように構成されている。そのため、カバー３１内部に雨水が浸入しても、排水経路が確保される。また、ベース材２と台座４との間に雨水が浸入しても、排水経路が確保され、排水性に優れた照明装置１とすることができる。
【００３０】
上記実施形態に係る照明装置１によれば、ベース材２が外壁仕上材７に埋設されるように構成され、照明装置本体３がベース材２の内側に配設されるので、照明装置本体３の少なくとも一部を外壁仕上材７内に収容して設けることができる。その結果、照明装置本体３と壁側との電線３２やねじ５０等の接続部材が外部に露出することがなく、意匠性に優れた照明装置１を提供できる。また、ベース材２に水抜き溝２２が形成されているので、壁面に埋設されたベース材２内の排水が可能であり、照明装置本体３への雨水の浸入を防ぐことができる。
【００３１】
上記実施形態に係る照明装置１によれば、照明装置本体３と台座４との間に水が浸入した場合でも、ベース材２の水抜き溝２２を介して、外部に排水することができ、照明装置本体３の防水性を高めることができる。
【００３２】
上記実施形態に係る照明装置１の取付構造１０によれば、ベース材２が壁下地６に固定されるので、従来の屋外用照明装置のように、照明装置を外壁仕上材にねじで直接固定する必要がなく、外壁仕上材７の損傷を防ぐことができる。また、外壁仕上材７の表面の凹凸に関わらず、ベース材２を壁面に容易に取り付けることができる。さらに、照明装置本体３の電線３２や壁部との接続部材等が外部に露出することがなく、意匠性に優れた照明装置１を提供できる。
【００３３】
上記実施形態に係る照明装置１の取付構造１０によれば、水抜き溝２２が形成されていることにより、ベース材２内の排水が可能であり、照明装置本体３への雨水の浸入を防ぐことができる。
【００３４】
上記実施形態に係る屋外用照明装置の取付方法によれば、ベース材２を壁下地６に固定した後に、壁下地６に外壁仕上材７を設けるので、照明装置１を外壁仕上材７の表面に固定する必要が無く、外壁仕上材７を損傷させることがない。また、壁下地６にベース材２を取り付けるので、表面の凹凸が大きい外壁仕上材を備える外壁に照明装置１を取り付ける場合でも、外壁に対して平行に取り付ける作業を容易に行える。また、照明装置本体３の電気的接続部等が設けられる基端部が壁面内に収容される。その結果、照明装置本体３の電線３２や壁部との接続部材等が外部に露出することがなく、意匠性に優れた照明装置１を容易に取り付けることができる。
【００３５】
本実施形態では、水抜き溝２２は、ベース材２の側壁部の一部を外周側に突出するように湾曲させて形成した例を示したが、水抜き溝の形態はこれに限定されない。例えば、ベース材２の側壁部の内側を厚さ方向に窪ませて、水抜き溝を形成してもよい。
【００３６】
本実施形態では、照明装置１の外形状が略円筒形状である例を挙げたが、照明装置１の形状はこれに限定されず、ベース材２に照明装置本体３が収容され、ベース材２の下部には前端部まで延びる水抜き溝が形成される構成であればよい。例えば、図７及び図８に、屋外用照明装置の変形例を示す。図７及び図８において、上記実施形態と同様の構成は同一の符号で示し、説明を省略する。例えば、図７及び図８に示す変形例の照明装置１Ａのように、ベース材２Ａと、台座４Ａと、カバー３１Ａとが略四角柱形状の照明装置１Ａでもよい。
【００３７】
以上、本発明の実施形態について図面を参照して詳述したが、具体的な構成はこの実施形態に限られるものではなく、本発明の要旨を逸脱しない範囲の設計変更等も含まれる。
また、上述の実施形態及び変形例において示した構成要素は適宜に組み合わせて構成することが可能である。
【符号の説明】
【００３８】
１、１Ａ  屋外用照明装置
２、２Ａ  ベース材
３  照明装置本体
４、４Ａ  台座
６  壁下地
７  外壁仕上材
１０  屋外用照明装置の取付構造
２２  水抜き溝
２３  配線孔（貫通孔）
３２，９０  電線
【図１】
0006574387.tif 000002
【図２】
0006574387.tif 000003
【図３】
0006574387.tif 000004
【図４】
0006574387.tif 000005
【図５】
0006574387.tif 000006
【図６】
0006574387.tif 000007
【図７】
0006574387.tif 000008
【図８】
0006574387.tif 000009